(57)【要約】【課題】既存の除霜ヒータのヒータ部の放熱を利用しながらも、伝熱プレートの受け板を有効に加熱できるようにする。【解決手段】冷却器２６の下面には除霜ヒータ４０が装着されてこの除霜ヒータ４０の一部をなすヒータ部４０Ａが冷却器２６の下面の奥縁側を横切るように配されている。エアダクト５０の奥壁５１Ｃには貯蔵庫本体１０の壁面１２Ｂに設けられた排水部１９に接続される排水路５４が突設され、かつエアダクト５０上には金属製の伝熱プレート５５が敷かれ、この伝熱プレート５５にはエアダクト５０の奥壁５１Ｃに沿うようにして受け板５６が立ち上がり形成されて同受け板５６に排水路５４に連なる排水口５６Ａが開口されている。除霜ヒータ４０におけるヒータ部４０Ａには、伝熱プレート５５の受け板５６側には開放したカバー６０が設けられている。【選択図】図４
2013253763.tif 000002
【特許請求の範囲】
【請求項１】
貯蔵庫本体の天井部には、ドレンパンを兼ねた合成樹脂製のエアダクトが一側に向けて下り勾配となった斜め姿勢で張設されることにより冷却器が収容された冷却器室が形成され、
前記冷却器の下面には除霜ヒータが装着されてこの除霜ヒータの一部をなすヒータ部が前記冷却器の下面の奥縁側を横切るように配されているとともに、
前記エアダクトの奥壁には前記貯蔵庫本体の壁面に設けられた排水部に接続される排水路が突設され、
かつ、前記エアダクト上には金属製の伝熱プレートが敷かれ、この伝熱プレートには前記エアダクトの前記奥壁に沿うようにして受け板が立ち上がり形成されて同受け板に前記排水路に連なる排水口が開口されており、
前記除霜ヒータにおける前記ヒータ部には、前記伝熱プレートの前記受け板側には開放したカバーが設けられていることを特徴とする冷却貯蔵庫。
【請求項２】
前記除霜ヒータは、前記冷却器の下面における左右の側縁に沿って装着される一対のブラケットで押さえられて支持されるようになっており、前記カバーが前記両ブラケットの奥側の端縁の間に渡された形態で設けられていることを特徴とする請求項１記載の冷却貯蔵庫。
【請求項３】
前記冷却器が、多数枚のフィンが並設されたフィン群の左右両側に後縁部が張り出した一対のエンドプレートが配され、前記フィン群と前記両エンドプレートを貫通して蒸発管が蛇行状に配管された構造になり、前記除霜ヒータの前記ヒータ部が、前記両エンドプレートの後縁部の下縁の間に渡って装着されたものであって、
前記カバーは、前記ヒータ部の上面側を前記受け板に近接する位置まで覆うことが可能な形態で、前記両エンドプレートの後縁部の対向面の間に渡されて設けられていることを特徴とする請求項１記載の冷却貯蔵庫。
【請求項４】
前記カバーが、前記伝熱プレートの前記受け板の上縁から、前記ヒータ部の上方を通って手前側に延出した形態で設けられていることを特徴とする請求項１記載の冷却貯蔵庫。
【請求項５】
前記カバーが、前記ヒータ部の上面から前面側を覆って同ヒータ部に嵌められる取付部と、この取付部から前記受け板の近接する位置まで延出した延出板とから構成されていることを特徴とする請求項１記載の冷却貯蔵庫。
【請求項６】
前記カバーにおける前記延出板の延出縁には、凹部が切り欠き形成されていることを特徴とする請求項５記載の冷却貯蔵庫。
【発明の詳細な説明】
【技術分野】
【０００１】
本発明は、除霜ヒータを用いた除霜機能を備えた冷却貯蔵庫に関する。
【背景技術】
【０００２】
業務用の冷蔵庫等では、冷却器に付着した霜を除去するべく除霜運転を行う機能を備えたものがあり、例えば特許文献１に記載されたものが知られている。このものは、貯蔵庫本体の天井部に、ドレンパンを兼ねた合成樹脂製のエアダクトが一側に向けて下り勾配となった斜め姿勢で張設されることにより冷却器が収容された冷却器室が形成され、冷却器の下面にはシーズヒータからなる除霜ヒータが装着されている。一方、エアダクトの奥壁には貯蔵庫本体の壁面に設けられた排水部に接続される排水路が突設されているとともに、エアダクト上には金属製の伝熱プレートが敷かれ、この伝熱プレートにはエアダクトの奥壁に沿うようにして受け板が立ち上がり形成されて同受け板に排水路に連なる排水口が開口された構造となっている。伝熱プレートを敷いたのは、同伝熱プレートを除霜ヒータの放熱等で加熱することにより、氷結を防止するためである。  
除霜運転時には、冷却器が除霜ヒータで加熱されることにより着霜が除去され、その除霜水が伝熱プレート上に落下し、氷塊の状態で落下した場合も伝熱プレートの熱で融かされ、上記の除霜水とともに伝熱プレート上を流下して伝熱プレートの受け板で受けられたのち、受け板の開口からエアダクトの排水路を通って、貯蔵庫本体の壁面の排水部に排水されるようになっている。
【先行技術文献】
【特許文献】
【０００３】
【特許文献１】特開２００９−１４２８４号公報
【発明の概要】
【発明が解決しようとする課題】
【０００４】
ところで上記した除霜水排水工程において、伝熱プレート上で融け切らなかった氷塊等が受け板の前面に留まって氷結し、排水口を詰まらせる等のおそれがある。そこで従来では、除霜ヒータの一部をなすヒータ部を、冷却器の下面の奥縁側を横切るように配し、そのヒータ部の放熱で受け板を加熱する手段が講じられていたが、特に氷塊等が溜まりやすい受け板の前面の下側隅部付近については、充分に昇温できていないのが実情であった。なお、昇温の補助のために、受け板の背面に別途ヒータを配することも行われているが、スペースの関係等で小容量のヒータしか配設できないため、受け板の前面の下側隅部付近まで充分に昇温するには到ってはいない。  
本発明は上記のような事情に基づいて完成されたものであって、その目的は、既存の除霜ヒータのヒータ部の放熱を利用しながらも、伝熱プレートの受け板を有効に加熱できるようにするところにある。
【課題を解決するための手段】
【０００５】
本発明の冷却貯蔵庫は、貯蔵庫本体の天井部には、ドレンパンを兼ねた合成樹脂製のエアダクトが一側に向けて下り勾配となった斜め姿勢で張設されることにより冷却器が収容された冷却器室が形成され、前記冷却器の下面には除霜ヒータが装着されてこの除霜ヒータの一部をなすヒータ部が前記冷却器の下面の奥縁側を横切るように配されているとともに、前記エアダクトの奥壁には前記貯蔵庫本体の壁面に設けられた排水部に接続される排水路が突設され、かつ、前記エアダクト上には金属製の伝熱プレートが敷かれ、この伝熱プレートには前記エアダクトの前記奥壁に沿うようにして受け板が立ち上がり形成されて同受け板に前記排水路に連なる排水口が開口されており、前記除霜ヒータにおける前記ヒータ部には、前記伝熱プレートの前記受け板側には開放したカバーが設けられているところに特徴を有する。
【０００６】
冷却器が除霜ヒータで加熱されることにより着霜が除去され、その除霜水がエアダクトに敷かれた伝熱プレート上に落下し、このとき伝熱プレートも除霜ヒータの放熱により温度上昇していることで氷塊の状態で落下した場合も融かされ、上記の除霜水とともに伝熱プレート上を流下し、同伝熱プレートの受け板で受けられたのち、同受け板の排水口からエアダクトの奥壁に突設された排水路を通って、貯蔵庫本体の壁面の排水部に排水される。このとき、融け切らなかった氷塊等が、受け板の前面に留まる可能性があるが、受け板に最も近い除霜ヒータのヒータ部については、受け板側には開放したカバーで覆われているから、同ヒータ部の発熱はカバー内に籠もったのち受け板に向けて放熱される。そのため、受け板が有効に加熱されてその前面の氷塊を融かし、氷結することが防止される。
【０００７】
また、以下のような構成としてもよい。  
（１）前記除霜ヒータは、前記冷却器の下面における左右の側縁に沿って装着される一対のブラケットで押さえられて支持されるようになっており、前記カバーが前記両ブラケットの奥側の端縁の間に渡された形態で設けられている。  
ブラケットを装着するに際しては、除霜ヒータに当てられた形態でねじ止め等により冷却器に固定されるが、カバーが両ブラケットの間に渡されていない構造であると、各ブラケットを個々にねじ止めしなければならないため、特に初めのブラケットを装着する場合には除霜ヒータが定位置からずれやすく、その補正等で少なからず手間が掛かる。  
それに対して本発明では、両ブラケットにカバーが渡されて一体化されているから、両ブラケットを除霜ヒータに当てたのち、各ブラケットを交互に少しずつねじ止めする等によって、除霜ヒータの位置ずれを招くことなく両ブラケットの固定ができ、結果除霜ヒータの支持操作を迅速に行うことができる。また、カバーが渡されたことで、ブラケットの補強機能も果たされる。
【０００８】
（２）前記冷却器が、多数枚のフィンが並設されたフィン群の左右両側に後縁部が張り出した一対のエンドプレートが配され、前記フィン群と前記両エンドプレートを貫通して蒸発管が蛇行状に配管された構造になり、前記除霜ヒータの前記ヒータ部が、前記両エンドプレートの後縁部の下縁の間に渡って装着されたものであって、前記カバーは、前記ヒータ部の上面側を前記受け板に近接する位置まで覆うことが可能な形態で、前記両エンドプレートの後縁部の対向面の間に渡されて設けられている。  
冷却運転時において、カバーが、冷却器からの冷気を排水口を含む受け板の前面に直接に当てないように機能し、受け板の前面や排水口で排水が凍結し難くなる。
【０００９】
（３）前記カバーが、前記伝熱プレートの前記受け板の上縁から、前記ヒータ部の上方を通って手前側に延出した形態で設けられている。  
ヒータ部からの放熱に加えて、カバーの上面からの輻射熱を、受け板の前面に当てて効率良く加熱することができる。
【００１０】
（４）前記カバーが、前記ヒータ部の上面から前面側を覆って同ヒータ部に嵌められる取付部と、この取付部から前記受け板の近接する位置まで延出した延出板とから構成されている。  
カバーの取付部をヒータ部に嵌めて固定すると、取付部から延出された延出板が伝熱プレートの受け板に接近して配される。ヒータ部からの放熱は、カバーによって上面や前面側に逃げることが阻止され、効率良く受け板に向けられる。カバーを設けるに当たっては、その取付部をヒータ部自身に嵌めるだけであるから、カバーの取付構造がシンプルとなる。
【００１１】
（５）前記カバーにおける前記延出板の延出縁には、凹部が切り欠き形成されている。
カバーの取付姿勢が変化する等によって、延出板の延出縁が伝熱プレートに接触した状態となっても、凹部が切り欠き形成されていることで、伝熱プレート上を除霜水が流下する際の妨げとなることはない。
【発明の効果】
【００１２】
本発明の冷却貯蔵庫によれば、既存の除霜ヒータのヒータ部の放熱を利用しながらも、伝熱プレートの受け板を有効に加熱することができる。
【図面の簡単な説明】
【００１３】
【図１】本発明の実施形態１に係る冷蔵庫の正面図
【図２】同縦断面図
【図３】エアダクトの斜視図
【図４】冷却器室付近の拡大断面図
【図５】ヒータカバーの取付構造を示す斜視図
【図６】ヒータカバーの配設構造を示す断面図
【図７】同背面から視た斜視図
【図８】同底面から視た斜視図
【図９】実施形態２に係るヒータカバーの配設構造を示す断面図
【図１０】同背面から視た斜視図
【図１１】実施形態３に係る冷却器室付近の拡大断面図
【図１２】ヒータカバーの配設構造を示す断面図
【図１３】エアダクトの背面から視た斜視図
【図１４】同正面から視た斜視図
【図１５】実施形態４に係るヒータカバーの配設構造を示す断面図
【図１６】同背面から視た斜視図
【図１７】ヒータカバーの取付構造を示す一部切欠斜視図
【発明を実施するための形態】
【００１４】
＜実施形態１＞
以下、本発明の実施形態１を図１ないし図８に基づいて説明する。この実施形態では、４ドア型の冷蔵庫を例示している。  
図１及び図２において、符号１０は冷蔵庫本体であって、前面開口のやや縦長の断熱箱体から構成されており、４本の脚１１で支持されているとともに、内部が貯蔵室１２となっている。貯蔵室１２内には、棚柱１３を介して棚網１４が複数段に設置できるようになっているとともに、貯蔵室１２の前面開口部１５には、十字形に組まれた断熱性の仕切枠１６が装着されることで計４個の出入口１７が形成され、観音開き式の断熱扉１８が上下２段に分かれて装着されている。
【００１５】
本体１０の上面には、パネルで囲まれることにより機械室２０が形成され、同機械室２０には冷凍ユニット２１が装備されている。  
冷凍ユニット２１は、平面方形をなす断熱性の基台２２の上面に、圧縮機２４、空冷式の凝縮器２５等からなる冷凍装置２３が載置されるとともに、下面側に冷却器２６が吊り下げて取り付けられ、冷凍装置２３と冷却器２６とが冷媒配管（図示せず）により循環接続された構造となっている。
【００１６】
冷却器２６は、図７及び図８に示すように、多数枚のフィン２７Ａが並設されたフィン群２７の左右両側にエンドプレート２８が配され、フィン群２７並びに両エンドプレート２８に整列して形成された貫通孔２９を通って蒸発管３０が蛇行状に貫通して配管され、全体としてブロック状に形成されている。なお、図４に示すように、左右のエンドプレート２８は、その周縁がフィン群２７の周縁よりも所定寸法張り出しており、特にエンドプレート２８の後縁部２８Ａは、後記するエアダクト５０奥壁５１Ｃに接近するように大きく張り出している。また、エンドプレート２８の前縁には、図８に示すように、外側に直角曲げされた保護板３２が形成されている。冷却器２６は、背面側（図２の右側）が少し下がった斜め姿勢で取り付けられている。  
一方、機械室２０の底面、言い換えると貯蔵室１２の天井壁１２Ａにおける奥側の位置には、基台２２よりも一回り小さい窓孔３４が形成されており、上記した冷凍ユニット２１の基台２２が、冷却器２６を窓孔３４の下面側に通しつつ同窓孔３４を塞いで取り付けられている。
【００１７】
貯蔵室１２の天井部分における窓孔３４の下面側には、詳しくは後記するように、エアダクト５０が張設され、その上方に冷却器室３５が形成されている。エアダクト５０の底面５０Ａは、奥縁（図２の右側）に向けて下り勾配（冷却器２６の傾斜角度とほぼ同じ）となるように張られ、手前側の領域に吸込口３６が開口されて冷却ファン３７が装備されているとともに、奥縁と貯蔵室１２の背面壁１２Ｂとの間に吹出口３８が形成されている。  
そして、冷凍装置２３（圧縮機２４）を運転しつつ冷却ファン３７を駆動すると、貯蔵室１２の庫内空気が冷却ファン３７によって吸込口３６から冷却器室３５内に吸引され、その空気が冷却器２６を流通する間に熱交換によって冷気が生成され、その冷気が吹出口３８から貯蔵室１２の奥面に沿うようにして吹き出され、貯蔵室１２内に冷気が循環供給される。また、庫内サーミスタ３９（図４）により庫内温度が検知され、庫内温度に応じて冷凍装置２３の運転と停止とが制御されて、庫内温度が略一定の冷却温度に維持されるようになっている。
【００１８】
また、冷却器２６等に付着した霜を除去するために、適宜に除霜運転が行われる。そのため、冷却器２６の下面には、シーズヒータからなる除霜ヒータ４０が装備されている。
より詳細には、図４に示すように、左右のエンドプレート２８の下縁には、Ｕ字溝からなる取付溝４２が、図示８個ずつ前後方向に所定間隔を開けて形成されている。なお、最前端と最後端の取付溝４２は、前面または後面に開口している。上記した取付溝４２のうち、左右の前側の５個ずつの取付溝４２と、左右の最後端の取付溝４２に渡り、除霜ヒータ４０がジグザグ状に回曲されて嵌められている。除霜ヒータ４０は、図１７に参照して示すように、所定の配索形状に予め形成されている。これらの除霜ヒータ４０が、後記するように、冷却器２６の下面における左右の側縁に沿って装着された一対のブラケット４５によって支持されるようになっている。  
このように除霜ヒータ４０が支持されると、フィン群２７の下面における前側大部分の領域の直下に除霜ヒータ４０がジグザグ状に配され、また、同除霜ヒータ４０の最後部の直線状のヒータ部４０Ａが、左右のエンドプレート２８の下縁の奥縁部を横切るようにして配された形態となる。
【００１９】
上記したエアダクト５０は、除霜水を受けるドレンパンを兼用している。除霜運転は、除霜ヒータ４０に通電して冷却器２６を加熱することにより行われ、除霜水はエアダクト５０（ドレンパン）で受けられたのち、貯蔵室１２の背面壁１２Ｂ内に設けられた排水用通路１９を通って庫外に排水されるようになっている。  
除霜水の排水部分の構造を説明する。  
エアダクト５０はＡＢＳ樹脂等の合成樹脂製であって、図３及び図４に示すように、平面略方形の皿状に形成されており、ただし左右の側壁５１Ａは、手前側（図４の右側）から奥側に向けて次第に背が高くなるように形成され、かつその奥端側が、底面５０Ａの奥縁よりも後方に突出している。
【００２０】
エアダクト５０における左右の側壁５１Ａの内側には、同じく奥側に向けて次第に背が高くなった左右一対の取付板５２が底面５０Ａから立ち上がって形成されている。各取付板５２の上縁には、前後２箇所の位置において、後方を向いた鈎形をなす掛止部５３が形成されており、各前後の掛止部５３が、貯蔵室１２の天井壁１２Ａに形成された窓孔３４における左右の周面に形成された被掛止部（図示せず）に掛止されることで、エアダクト５０はその底面５０Ａが奥縁に向けて下り勾配となった傾斜姿勢を取って支持されるようになっている。またエアダクト５０の前壁５１Ｂが、窓孔３４の下面側における前側の縁部に当てられてねじ止めにより固定されている。  
エアダクト５０の底面５０Ａにおける手前側の領域には、上記した吸込口３６が形成され、同吸込口３６の裏面側に冷却ファン３７が取り付けられている。
【００２１】
エアダクト５０は底面５０Ａの奥縁が最深部となっていて、同奥縁には全幅に渡って奥壁５１Ｃが立ち上がり形成され、同奥壁５１Ｃにおける幅方向の中央よりも背面から見て右端寄りの位置に、排水路５４が形成されている。排水路５４は、底部側が円弧状となったＵ字形断面の溝状に形成され、図４に示すように、その底壁がエアダクト５０の底面５０Ａと連続しつつ、奥側に向けて先下がりとなった姿勢を採っている。  
また、奥壁５１Ｃは排水路５４の形成位置が最も奥側に突出しており、両端に向けて緩傾斜で手前側に退避した形態を採っている。
【００２２】
エアダクト５０の底面５０Ａ上には、伝熱プレート５５が張設されている。この伝熱プレート５５はアルミニウム板製であって、全体としては、図３，４に示すよう、エアダクト５０の底面５０Ａにおける左右の取付板５２の間で、かつ前壁５１Ｂから少し奥に入った位置から奥壁５１Ｃに対して所定間隔を開けた近接位置に至る領域に収まるほぼ方形状に形成されている。ただし、伝熱プレート５５の前部側では、上記した冷却ファン３７を逃がす切欠部５５Ａが形成されている。伝熱プレート５５は、例えば前部側をリベットで締結することにより、所定位置に張られるようになっている。
【００２３】
伝熱プレート５５は、エアダクト５０の傾斜に倣って張られるために、必然的に奥縁側が最深部となり、その奥縁に沿って受け板５６が全幅に渡って立ち上がり形成される一方、受け板５６における幅方向の中央よりも背面視で右端寄りの位置、すなわちエアダクト５０の排水路５４と対応した位置に、排水口５６Ａが形成されている（図１４参照）。また受け板５６は、エアダクト５０の奥壁５１Ｃと同様に、排水口５６Ａの形成位置が最も奥側に突出し、左右両端に向けて緩傾斜で手前側に退避した形態を採っている。受け板５６の上縁にはフランジ５７が奥側に直角曲げして形成され、エアダクト５０の奥壁５１Ｃの上縁に達している。
【００２４】
排水口５６Ａの上縁からは、エアダクト５０の排水路５４の上面開口を覆うカバー５８が突設され、排水路５４の中央高さ位置よりも少し上方位置において、基端から先端の少し手前の領域に渡ってほぼ緊密に嵌められている。  
伝熱プレート５５の受け板５６の背面からカバー５８の上面に渡って、凍結防止ヒータ５９Ａが配線されており、受け板５６の前面並びに排水路５４内での凍結を防止するように機能する。  
なお、伝熱プレート５５の底面における冷却器２６の前端部の下面に対応する位置に、別の凍結防止ヒータ５９Ｂを配線してもよい。
【００２５】
さて、本実施形態では、伝熱プレート５５の受け板５６の前面、特にその下側隅部を充分に昇温するべく手段が講じられており、以下それについて説明する。  
同手段として、上記した除霜ヒータ４０における最後部に配された直線状のヒータ部４０Ａの上面と前面とをほぼ全長に渡って覆うヒータカバー６０が設けられ、同ヒータカバー６０が、上記した左右一対のブラケット４５における奥端同士の間に渡された形態で設けられている。
【００２６】
左右のブラケット４５を改めて説明する。各ブラケット４５は金属板をプレス加工することで形成され、図４及び図５に示すように、幅広でかつエンドプレート２８を含む冷却器２６全体の前後方向の長さに匹敵する長さ寸法を持った帯状に形成され、長さ方向の前後両端部に抜き孔４６Ａを設けることで軽量化を図った上で、両側縁を直角曲げして側板４６Ｂを形成することで補強を図っている。  
ブラケット４５の奥縁には、同幅の位置決め板４７が直角に立ち上がり形成され、同位置決め板４７の上縁がさらに前方に直角曲げされて、同屈曲部に左右２本の差込溝４７Ａが形成されている。  
一方、前縁の中央幅位置からは、幅狭の取付板４８が立ち上がり形成され、その上端部にはねじ４９の挿通孔４８Ａが開口されている。
【００２７】
ブラケット４５は、図７に示すように、位置決め板４７の差込溝４７Ａをエンドプレート２８の後縁に差し込んで位置決めしたのち、冷却器２６の下面の側縁に沿って当てられ、それに伴い図８に示すように、取付板４８がエンドプレート２８の前縁から外向きに直角曲げされた保護板３２に当てられ、挿通孔４８Ａに通したねじ４９を保護板３２に形成されたねじ孔にねじ込むことで固定されるようになっている。
【００２８】
ヒータカバー６０は、金属板、詳細には比較的熱伝導率が低いステンレス鋼板からなる素材をプレス加工することで形成され、左右のエンドプレート２８の間隔に匹敵する長さを持ち、かつ除霜ヒータ４０の最後部のヒータ部４０Ａの上面と前面とをそれぞれ覆う上面板６１Ａと前面板６１Ｂとを直角に配したアングル状に形成されている。ヒータカバー６０の前面板６１Ｂの下縁からは、左右のエンドプレート２８の間隔よりも所定寸法大きい長さを持った取付板６２が、前方に直角曲げされた形態で形成されている。  
このヒータカバー６０の取付板６２が、所定間隔を開けて配された左右一対のブラケット４５における奥端部（位置決め板４７よりも所定寸法手前位置）に渡され、溶接等によって固定されている。
【００２９】
続いて、本実施形態の作用を説明する。  
冷却器２６の下面に除霜ヒータ４０を装着するに当たっては、例えば所定のジグザク状の配索形状に回曲形成された除霜ヒータ４０を、ヒータカバー６０を介して一体化された両ブラケット４５の間に渡って載せ、このとき最後部のヒータ部４０Ａをヒータカバー６０の下側に潜らせる。この状態から、図７に示すように、両ブラケット４５の奥縁の位置決め板４７に形成された所定の差込溝４７Ａを、左右のエンドプレート２８の後縁に差し込んで位置決めしたのち、両ブラケット４５を冷却器２６の下面における左右の側縁に向けて当てつつ、除霜ヒータ４０の左右両端部を左右のエンドプレート２８の下縁に形成された取付溝４２に嵌める。それに伴い、両取付板４８がエンドプレート２８の前縁側に形成された保護板３２の表面に当てられるから、各取付板４８の挿通孔４８Ａに通したねじ４９を保護板３２に形成されたねじ孔にねじ込むことで固定される。
【００３０】
これにより、除霜ヒータ４０は所定の配索形状で冷却器２６の下面に装着され、ブラケット４５で支持された状態となり、フィン群２７の下面における前側大部分の領域の直下に除霜ヒータ４０がジグザグ状に配される一方、最後部の直線状のヒータ部４０Ａが、左右のエンドプレート２８の下縁の奥縁部を横切って配され、かつ同ヒータ部４０Ａの上面から前面に渡ってヒータカバー６０で覆われた形態となる。  
そして冷却器２６が冷却器室３５内に配された場合には、図６に示すように、最後部のヒータ部４０Ａは、ヒータカバー６０の後面開口を通して、伝熱プレート５５の受け板５６の前面と所定の距離を開けて対向した状態とされる。
【００３１】
冷却運転は、既述したように、貯蔵室１２内に冷気が循環流通されることで行われ、これが継続されると、冷却器２６等に次第に着霜する可能性があるため、適宜に除霜運転が行われる。除霜運転は、冷却器２６に設けられた除霜ヒータ４０に通電して加熱することで行われ、併せて凍結防止ヒータ５９Ａ，５９Ｂに通電される。  
冷却器２６が除霜ヒータ４０で加熱されることにより着霜が除去され、その除霜水はエアダクト５０に敷かれた伝熱プレート５５上に落下し、伝熱プレート５５上を流下して同伝熱プレート５５の受け板５６で受けられたのち、同受け板５６の排水口５６Ａからエアダクト５０の奥壁５１Ｃに突設された排水路５４を通って、冷蔵庫本体１０の背面壁１２Ｂの排水用通路１９に排水される。  
また、氷塊の状態で落下した霜は、伝熱プレート５５が除霜ヒータ４０の放熱や凍結防止ヒータ５９Ｂにより加熱されていることで融かされ、さらに氷塊のままで受け板５６で受けられたものも、受け板５６が凍結防止ヒータ５９Ａで加熱されていることで融かされ、上記の除霜水とともに排水される。
【００３２】
ここで、氷塊状態の霜の量が多い場合等、融け切らなかった氷塊が、受け板５６の前面の特に下側隅部になお留まる可能性がある。それに対してこの実施形態では、除霜ヒータ４０のうち受け板５６に最も近い最後部の直線状のヒータ部４０Ａについては、後面が開放した、すなわち受け板５６側に開放したヒータカバー６０で覆われているから、同ヒータ部４０Ａの発熱は、上面側や前面側に放散されることなくヒータカバー６０内に籠もり、そののち受け板５６に向けて放熱される。そのため受け板５６が有効に加熱され、その前面における下側隅部に残った氷塊をも融かされる。
【００３３】
このように本実施形態では、冷却器２６の下面に配された除霜ヒータ４０のうち、伝熱プレート５５の受け板５６に最も近い最後部のヒータ部４０Ａに対し、後面すなわち受け板５６側には開放したヒータカバー６０で覆った構造としたから、同ヒータ部４０Ａの発熱はヒータカバー６０内に籠もったのち受け板５６に向けて放熱されるように作用する。その結果、受け板５６が有効に加熱されてその前面における下側隅部に残った氷塊をも融かすことができ、もって受け板５６の前面で氷結し、さらには排水口５６Ａを詰まらせる等を未然に防止することができる。
【００３４】
本実施形態では特に、ヒータカバー６０は、除霜ヒータ４０を支持する一対のブラケット４５の奥端の間に渡された形態で設けられている。  
ブラケット４５を装着するに際しては、後縁の位置決め板４７で位置決めしたのち前縁の取付板４８をエンドプレート２８の前縁の保護板３２にねじ止めすることで固定されるが、両ブラケット４５の間にヒータカバーが渡されていない構造であると、各ブラケット４５を個々にねじ止めしなければならないため、特に初めのブラケット４５を装着する場合には除霜ヒータ４０が定位置からずれやすく、その補正等で少なからず手間が掛かる。
それに対してこの実施形態では、両ブラケット４５にヒータカバー６０が渡されて一体化されているから、除霜ヒータ４０を挟んで両ブラケット４５を冷却器２６の下面に当てたのち、各ブラケット４５の取付板４８を交互に少しずつねじ止めする等によって、除霜ヒータ４０の位置ずれを招くことなく両ブラケット４５の固定ができ、結果除霜ヒータ４０の支持操作を迅速に行うことができる。また、ヒータカバー６０が渡されて一体化されていることで、ブラケット４５の補強の機能も果たすことができる。
【００３５】
＜実施形態２＞
図９及び図１０は、本発明の実施形態２を示す。実施形態２では、ヒータカバー６５の形状と取付構造とに変更が加えられている。以下には主に変更点について説明し、実施形態１と同一機能を有する部材、部位については、同一符号を付すことで、説明を簡略化または省略する。
【００３６】
この実施形態では、ヒータカバー６５が、冷却器２６における左右のエンドプレート２８の後縁部２８Ａの対向面に渡された形態で配されている。  
ヒータカバー６５は、実施形態１のヒータカバー６０と同じく、上面板６６Ａと前面板６６Ｂとを備えたアングル状ではあるが、上面板６６Ａが実施形態１のヒータカバー６０の上面板６１Ａよりも幅広に形成されている。上面板６６Ａの前端側の左右の側縁には、取付板６７が立ち上がり形成されている。
【００３７】
ヒータカバー６５は、図９に示すように、上面板６６Ａの略中央幅位置の下方に最後部のヒータ部４０Ａを配して、同ヒータ部４０Ａの上面と前面とを覆った形態で、左右のエンドプレート２８の後縁部２８Ａの対向面の間に渡され、左右の取付板６７がエンドプレート２８の対向面に対して溶接等により固定されている。このとき、ヒータカバー６５の上面板６６Ａの後縁が、伝熱プレート５５の受け板５６の前面上縁に近接するようになっている。なお、上面板６６Ａの後縁の左右両端部には、受け板５６との干渉を避けるためにテーパ状の逃がし部６８が形成されている。
【００３８】
この実施形態２では、実施形態１と同様に、除霜ヒータ４０の最後部のヒータ部４０Ａに対し、受け板５６側には開放したヒータカバー６５で覆った構造であるから、同ヒータ部４０Ａの発熱がヒータカバー６５内に籠もったのち受け板５６に向けて放熱されるように作用し、受け板５６を有効に加熱することができる。  
一方、冷却運転時では、ヒータカバー６５が、冷却器２６からの冷気を排水口５６Ａを含む受け板５６の前面に直接に当てないように機能し、受け板５６の前面や排水口５６Ａで排水が凍結し難くなる。
【００３９】
＜実施形態３＞
本発明の実施形態３を図１１ないし図１４によって説明する。この実施形態では、ヒータカバー７０が、伝熱プレート５５の受け板５６の前面に取り付けられている。  
ヒータカバー７０は、図１３に示すように、受け板５６の前面における排水口５６Ａの背面視で右側領域に配される短寸のものと、排水口５６Ａの左側の端部寄りの位置に到る広い領域に配される長寸のものとの、２個に分割されて備えられている。ヒータカバー７０はともに、上面板７１Ａの前縁に垂下長の短い前面板７１Ｂが形成された略アングル状に形成されており、上面板７１Ａの後縁からは、受け板５６の高さに匹敵する垂下長を持った取付板７２が下向きに曲げ形成されている。
【００４０】
各ヒータカバー７０は、それぞれの取付板７２が、受け板５６の前面における排水口５６Ａを挟んだ左右の領域に当てられ、溶接等により固定されている。ヒータカバー７０が取り付けられた場合、上面板７１Ａが、受け板５６の上縁から最後部のヒータ部４０Ａの上方を通って手前側に延出し、かつ前面板７１Ｂがヒータ部４０Ａの上部位置の前方を覆った形態で配される。
【００４１】
この実施形態３においても、ヒータ部４０Ａの発熱がヒータカバー７０内に籠もったのちに受け板５６側に向けて放熱されるように作用し、それとともに加熱された上面板７１Ａからの輻射熱も受け板５６の前面側に当てられることで、受け板５６を効率良く加熱することができる。
【００４２】
＜実施形態４＞
本発明の実施形態４を図１５ないし図１７によって説明する。この実施形態では、ヒータカバー７５が、除霜ヒータ４０における最後部のヒータ部４０Ａに直接に取り付けられる形態で配設されようになっている。  
ヒータカバー７５は、最後部のヒータ部４０Ａの直前を覆って垂下した前面板７６の上縁に、ヒータ部４０Ａの上面側に緊密に嵌められる半円形の溝形をなす取付部７７が設けられ、かつこの取付部７７の後縁から先下がりの斜め姿勢で後方に延出した延出板７８が形成された形状となっている。延出板７８の延出縁には、長さ方向の両端を除いた領域に、凹部７９が切り欠き形成されている。
【００４３】
ヒータカバー７５は、その取付部７７がヒータ部４０Ａの上面に緊密に嵌められて取り付けられ、これに伴い、前面板７６がヒータ部４０Ａの直前において伝熱プレート５５の直上位置まで覆い、また延出板７８は、先下がりの姿勢を取って、その延出端が伝熱プレート５５の奥縁の直ぐ手前の位置に近接した形態となる。
【００４４】
この実施形態４によれば、ヒータ部４０Ａの発熱はヒータカバー７５によって、上面側や前面側に放散されることなくヒータカバー７５内に籠もり、そののち延出板７８に沿うようにして、受け板５６の前面における下側隅部を指向して放熱され、同箇所を効率良く加熱することができる。  
ヒータカバー７５を配するに当たっては、その取付部７７を最後部のヒータ部４０Ａ自身に嵌めるだけであるから、ヒータカバー７５の取付構造がシンプルとなる。  
また、ヒータカバー７５の取付姿勢が変化する等によって、延出板７８の延出縁が伝熱プレート５５に接触した状態となっても、同延出縁には凹部７９が切り欠き形成されていることで、伝熱プレート５５上を除霜水が流下する際の妨げとなることが回避される。
【００４５】
＜他の実施形態＞
本発明は上記記述及び図面によって説明した実施形態に限定されるものではなく、例えば次のような実施形態も本発明の技術的範囲に含まれる。  
（１）本発明は、伝熱プレートの底面や受け板の背面に凍結防止ヒータを設けない形式のものにも同様に適用することができる。  
（２）実施形態４において、ヒータカバーの前面板の垂下縁にも凹部が切り欠き形成されていてもよく、係る構造とすると、製造や取付誤差により前面板の垂下縁が伝熱プレートに接触した場合も、凹部を通して伝熱プレート上を除霜水が流下することが担保される。  
（３）エアダクトは、冷蔵庫本体の一方の側壁に向けて下り勾配となった姿勢で設けられるようになっていてもよい。  
（４）本発明は冷蔵庫に限らず、冷凍庫、急速凍結庫等、要は冷却器の下面に配した除霜ヒータの一部で伝熱プレートの受け板を加熱する形式の冷却貯蔵庫全般に広く適用することができる。
【符号の説明】
【００４６】
１０…冷蔵庫本体（貯蔵庫本体）  １２…貯蔵室  １２Ｂ…背面壁  １９…排水用通路（排水部）  ２６…冷却器  ２７…フィン群  ２７Ａ…フィン  ２８…エンドプレート  ２８Ａ…（エンドプレート２８の）後縁部  ３０…蒸発管  ３５…冷却器室  ４０…除霜ヒータ  ４０Ａ…ヒータ部  ４５…ブラケット  ５０…エアダクト  ５１Ｃ…奥壁  ５４…排水路  ５５…伝熱プレート  ５６…受け板  ５６Ａ…排水口  ６０…ヒータカバー（カバー）  ６１Ａ…上面板  ６１Ｂ…前面板  ６２…取付板  ６５…ヒータカバー（カバー）  ６６Ａ…上面板  ６６Ｂ…前面板  ６７…取付板  ７０…ヒータカバー（カバー）  ７１Ａ…上面板  ７１Ｂ…前面板  ７２…取付板  ７５…ヒータカバー（カバー）  ７６…前面板  ７７…取付部  ７８…延出板  ７９…凹部
【図１】
2013253763.tif 000003
【図２】
2013253763.tif 000004
【図３】
2013253763.tif 000005
【図４】
2013253763.tif 000006
【図５】
2013253763.tif 000007
【図６】
2013253763.tif 000008
【図７】
2013253763.tif 000009
【図８】
2013253763.tif 000010
【図９】
2013253763.tif 000011
【図１０】
2013253763.tif 000012
【図１１】
2013253763.tif 000013
【図１２】
2013253763.tif 000014
【図１３】
2013253763.tif 000015
【図１４】
2013253763.tif 000016
【図１５】
2013253763.tif 000017
【図１６】
2013253763.tif 000018
【図１７】
2013253763.tif 000019